(57)【要約】      （修正有）【課題】音声制御の音楽プレーヤーを提供する。【解決手段】音楽プレーヤーにおいて、ベース２３を含み、ベースの外側には防塵カバー１０がスライドできるように連結され、防塵カバーの上側端面にはハンドル６１が固定的に連結され、装置が使用されていない時に、効果的に防塵と防水ができる上に音楽ディスクを変更するのも便利であり、ベースの中には伝動チャンバ７２が設けられ、伝動チャンバの上端に位置し、且つ上方に開口した作動チャンバ１１が設けられ、伝動チャンバの中には同期部品が設けられる。本発明は構造が簡単であり、音声制御により動力源を起動させて同期構造を最小してレコード盤の旋転と磁力筆の動作を同期化させ、休止する時にネガティブフィードバックにより当接から離脱させてレコード盤を保護できる。【選択図】図１
2020155194.tif 000002
【特許請求の範囲】
【請求項１】
ベースを含み、前記ベースの外側には防塵カバーがスライドできるように連結され、前記防塵カバーの上側端面にはハンドルが固定的に連結され、装置が使用されていない時に、効果的に防塵と防水ができる上に音楽ディスクを変更するのも便利であり、前記ベースの中には伝動チャンバが設けられ、前記ベースの中には前記伝動チャンバの上端に位置し、且つ上方に開口した作動チャンバが設けられ、前記伝動チャンバの中には同期部品が設けられ、その中に、前記同期部品の中には上下に伸びて前記作動チャンバの中に挿入される出力軸が回転できるように連結され、前記作動チャンバの底端の内壁には減速旋転部品が設置され、且つ前記出力軸に制御され、その中に、前記減速旋転部品の中には左右に伸びている遊星枠が設けられ、前記作動チャンバの中にはサポート装置が左右対称のように設置され、且つ前記サポート装置が前記減速旋転部品の上端に位置し、その中に、前記サポート装置の中には前記遊星枠と固定的に連結でき、且つ上下に伸びている支柱が回転できるように連結され、前記作動チャンバの中には固定板が固定的に連結され、且つ前記遊星枠の上端に位置し、前記固定板には休止装置がスライドできるように連結され、その中に、前記休止装置が前記減速旋転装置に制御され、音楽停止又は音楽休止の命令を受けた後にレコード盤の旋転を停止することにより音楽のプレイを停止し、前記同期部品の中には上へ伸びて前記作動チャンバの中に挿入され、且つ前記出力軸の右端に位置する従動軸が回転できるように連結され、前記従動軸の上には読取り装置が設置され、その中に、前記読取り装置の中にはフィードバック起動部品が設けられ、且つ読取り装置がレコード盤を読取り始める時、レコード盤が同期的に旋転して音楽が流れ始め、同時に前記休止装置が起動した後に前記読取り装置がフィードバック起動部品により初期位置に戻り、レコード盤の使用寿命を保護できることを特徴とする音声制御の音楽プレーヤー。
【請求項２】
前記同期部品は、前記伝動チャンバの底壁の内壁の中にはモータが植設され、その中に、前記モータのオンーオフを音声により制御でき、前記出力軸の下端が前記モータの上端に伝動できるように連結され、前記出力軸には前記作動チャンバの中に位置する太陽歯車が固定的に連結され、前記太陽歯車の中には噛合チャンバが設けられ、前記出力軸には前記噛合チャンバの中に位置する下シャフト連結プレートが設けられ、前記出力軸には前記伝動チャンバの中に位置する出力プーリが設けられ、前記従動軸には前記伝動チャンバの中で回転できる入力プーリが設けられ、前記従動軸の上端末端には回転盤が設けられ、前記作動チャンバの前後側内壁の間には直角テーブルがスライドできるように設置され、その中に、前記直角テーブルと前記従動軸とが回転できるように連結され、前記読取り装置が前記直角テーブルの左側に設置され、
前記伝動チャンバの下側内壁の中にはスライド溝が連通し設置され、前記スライド溝の中にはスライドブロックがスライドできるように設置され、その中に、前記従動軸の下端が前記スライドブロックの上側端面に回転できるように連結され、前記スライド溝の左側内壁の中にはスライドモータが固定的に設置され、前記スライドモータの右端には前記スライドブロックと螺合連結されるスライドリードスクリューが伝動できるように連結され、前記伝動チャンバの下側内壁の中にはプッシュスライド溝が連通し設置され、前記プッシュスライド溝の中にはプッシュスライダがスライドできるように設置され、前記プッシュスライダの前側端面と前記プッシュスライド溝の前側内壁との間には圧着バネが連結され、前記プッシュスライダの上端には回転軸によって中間プーリが回転できるように連結され、前記中間プーリと、前記出力プーリと前記入力プーリとが前記伝動チャンバの中で三角形のように分布され、且つ前記中間プーリと、前記出力プーリと前記入力プーリにはベルトが周設され、且つ前記スライドモータが回転して前記スライドブロックを駆動して左側に移動させる時、前記圧着バネの弾力を通じて前記プッシュスライダを駆動して後側に移動させることができ、更に前記ベルトの強く引張ている状態を保持することを特徴とする請求項１に記載の音声制御の音楽プレーヤー。
【請求項３】
前記減速旋転部品は前記作動チャンバの底端内壁に固定的に連結されるリングギヤを含み、前記リングギヤと前記太陽歯車の間には左右対称の二組の遊星歯車が噛み合って連結され、前記遊星歯車には上下に伸びている遊星軸が設けられ、前記遊星軸の上端が前記遊星枠の下側端面に回転できるように連結され、前記作動チャンバの底端内壁には、前記遊星軸の下端がスライドできるように、環状軌道が設置され、
前記サポート装置は前記支柱に回転できるように連結される補助固定ブロックを含み、前記補助固定ブロックの左右側にはスイングアームが固定的に連結され、左右対称のように設置される前記スイングアームには前記補助固定ブロックに対して左右対称になるサブスライドレバーがスライドできるように連結され、前記サブスライドレバーの上端末端にはサブサポート板が固定的に連結され、前記サブスライドレバーの前端端面には前記サブサポート板の下側に位置する棒状ボタンが固定的に連結され、前記補助固定ブロックの中には切換チャンバが左右に貫通するように設けられ、前記切換チャンバの中には双面歯付ロッドがスライドできるように設置され、前記双面歯付ロッドの上端が前記補助固定ブロックの上側端面外まで伸び出され、且つ前記双面歯付ロッドの上端には前記補助固定ブロックの上側に位置するメインサポート板が固定的に連結され、前記メインサポート板と前記補助固定ブロックとが相対する側の端面の間には戻りバネが連結され、前記切換チャンバの前後側内壁の間には前記双面歯付ロッドの左右両側に位置する伝動軸が回転できるように設置され、前記伝動軸には前記双面歯付ロッドと噛み合って連結される切換歯車が設けられ、前記伝動軸には前記切換歯車の前端に位置し、且つ前記切換チャンバの中で回転できる回転レバーが設けられ、前記回転レバーのうち前記双面歯付ロッドから離れている一端が前記切換チャンバの外まで伸び出され、且つ前記回転レバーのうち前記双面歯付ロッドから離れている一端には前記棒状ボタンとスライドできるように連結される溝が前後に貫通するように設置されることを特徴とする請求項１又は請求項２に記載の音声制御の音楽プレーヤー。
【請求項４】
前記休止装置は前記固定板の中に上下に貫通するように設置されるネジ山付軸を含み、前記ネジ山付軸の下端が前記噛合チャンバの中に挿入され、且つ前記ネジ山付軸の下端には前記下シャフト連結プレートと当接し連結できる上シャフト連結プレートが固定的に連結され、前記ネジ山付軸には前記固定板の上側に位置する昇降フレームが螺合連結され、前記昇降フレームの下端面と前記固定板の上端面との間には圧縮バネが連結され、前記昇降フレームの上端にはピストンが回転出来るように固定的に連結され、前記固定板の上端端面には前記昇降フレームとスライドできるように連結されるガイドレバーが固定的に連結され、前記作動チャンバの前後側内壁の間には前記ピストンの上端に位置するガス封入管が固定的に連結され、前記ガス封入管の中には下方に開口したガス道が設けられ、その中に、前記ピストンが前記ガス道の内壁とスライドできるように連結され、前記ガス道の中には前記ガス封入管の外部まで伸びることができるゴムエアバッグが設置され、前記ガス道の中には前記ゴムエアバッグの上側に位置し、且つ左右に相通するガス封入棒が設けられ、前記遊星枠の頂端内壁の中には液圧機械が植設され、前記液圧機械の上端末端には前記ネジ山付軸と回転できるように連結できる液圧プッシュロッドが回転できるように連結され、前記液圧機械が前記液圧プッシュロッドにより前記ネジ山付軸を押し動かして上下に移動させることができることを特徴とする請求項１に記載の音声制御の音楽プレーヤー。
【請求項５】
前記読取り装置は、外方に開口し、且つ前記回転盤の中に設置される凹み溝を含み、前記凹み溝の中には遠心プッシュブロックがスライドできるように連結され、前記遠心プッシュブロックのうち円心に近い端と前記凹み溝との間には引張バネが連結され、前記直角テーブルには左右に伸びている復帰レバーがスライドできるように連結され、前記復帰レバーの右端末端には前記遠心プッシュブロックと当接し連結される当接ブロックが設けられ、前記当節ブロックと前記遠心プッシュブロックとの間には復帰バネが連結され、前記復帰バネにはスピーカ箱が固定的に連結され、前記スピーカの上端端面にはスピーカが固定的に連結され、
前記フィードバック起動部品は前記スピーカ箱の中に設置されるネガティブフィードバックチャンバを含み、前記ネガティブフィードバックチャンバの底端内壁には上下に伸びている従動プッシュレバーがスライドできるように連結され、前記従動プッシュレバーの下端が前記スピーカ箱の下側端面の外部まで伸び出され、且つ前記従動プッシュレバーの下端には磁気ヘッドが固定的に連結され、前記従動プッシュレバーの上端末端には従動プッシュブロックが設けられ、前記従動プッシュブロックの下端と前記ネガティブフィードバックチャンバの底端内壁との間には還元バネが圧着連結され、前記直角テーブルの鉛直端の左端端面には前記ネガティブフィードバックチャンバの中に挿入される主動プッシュレバーが固定的に連結され、前記主動プッシュレバーの左端末端には前記従動プッシュブロックと当接し連結される主動プッシュブロックが設けられることを特徴とする請求項１に記載の音声制御の音楽プレーヤー。
【発明の詳細な説明】
【技術分野】
【０００１】
本発明はオーディオ設備技術分野に関し、具体的には音声制御の音楽プレーヤーに関する。
【背景技術】
【０００２】
音楽は、現代人にとって、忙しい一日の終えた後にリラックスの最良案である。しかし、伝統的な音楽プレーヤーは、手動でボタンを押して装置を起動させなければ音楽のプレイができなく、また、距離と温度などの環境要素から影響を受けて、使用者がプレーヤーを制御するのに足を運びたくないこともある。こういう時、音声により音楽プレーヤーを制御できる機械がオーディオ業界の発展において必然な傾向になる。本発明のレコードプレーヤーパターンの音楽プレーヤーは、受信した音声を識別することにより、装置内の動力源の起動と装置の休止と音楽の停止を制御する。
【先行技術文献】
【特許文献】
【０００３】
【特許文献１】中国特許出願公開第１０３８８６８７７号明細書
【発明の概要】
【発明が解決しようとする課題】
【０００４】
本発明の目的は音声制御の音楽プレーヤーを提供し、既存の技術にある上記の欠陥を補うことにある。
【課題を解決するための手段】
【０００５】
音声制御の音楽プレーヤーは、ベースを含み、前記ベースの外側には防塵カバーがスライドできるように連結され、前記防塵カバーの上側端面にはハンドルが固定的に連結され、装置が使用されていない時に、効果的に防塵と防水ができる上に音楽ディスクを変更するのも便利であり、前記ベースの中には伝動チャンバが設けられ、前記ベースの中には前記伝動チャンバの上端に位置し、且つ上方に開口した作動チャンバが設けられ、前記伝動チャンバの中には同期部品が設けられ、その中に、前記同期部品の中には上下に伸びて前記作動チャンバの中に挿入される出力軸が回転できるように連結され、前記作動チャンバの底端の内壁には減速旋転部品が設置され、且つ前記出力軸に制御され、その中に、前記減速旋転部品の中には左右に伸びている遊星枠が設けられ、前記作動チャンバの中にはサポート装置が左右対称のように設置され、且つ前記サポート装置が前記減速旋転部品の上端に位置し、その中に、前記サポート装置の中には前記遊星枠と固定的に連結でき、且つ上下に伸びている支柱が回転できるように連結され、前記作動チャンバの中には固定板が固定的に連結され、且つ前記遊星枠の上端に位置し、前記固定板には休止装置がスライドできるように連結され、その中に、前記休止装置が前記減速旋転装置に制御され、音楽停止又は音楽休止の命令を受けた後にレコード盤の旋転を停止することにより音楽のプレイを停止し、前記同期部品の中には上へ伸びて前記作動チャンバの中に挿入され、且つ前記出力軸の右端に位置する従動軸が回転できるように連結され、前記従動軸の上には読取り装置が設置され、その中に、前記読取り装置の中にはフィードバック起動部品が設けられ、且つ読取り装置がレコード盤を読取り始める時、レコード盤が同期的に旋転して音楽が流れ始め、同時に前記休止装置が起動した後に前記読取り装置がフィードバック起動部品により初期位置に戻り、レコード盤の使用寿命を保護できる。
【０００６】
優先的には、前記同期部品は、前記伝動チャンバの底壁の内壁の中にはモータが植設され、その中に、前記モータのオンーオフを音声により制御でき、前記出力軸の下端が前記モータの上端に伝動できるように連結され、前記出力軸には前記作動チャンバの中に位置する太陽歯車が固定的に連結され、前記太陽歯車の中には噛合チャンバが設けられ、前記出力軸には前記噛合チャンバの中に位置する下シャフト連結プレートが設けられ、前記出力軸には前記伝動チャンバの中に位置する出力プーリが設けられ、前記従動軸には前記伝動チャンバの中で回転できる入力プーリが設けられ、前記従動軸の上端末端には回転盤が設けられ、前記作動チャンバの前後側内壁の間には直角テーブルがスライドできるように設置され、その中に、前記直角テーブルと前記従動軸とが回転できるように連結され、前記読取り装置が前記直角テーブルの左側に設置され、
前記伝動チャンバの下側内壁の中にはスライド溝が連通し設置され、前記スライド溝の中にはスライドブロックがスライドできるように設置され、その中に、前記従動軸の下端が前記スライドブロックの上側端面に回転できるように連結され、前記スライド溝の左側内壁の中にはスライドモータが固定的に設置され、前記スライドモータの右端には前記スライドブロックと螺合連結されるスライドリードスクリューが伝動できるように連結され、前記伝動チャンバの下側内壁の中にはプッシュスライド溝が連通し設置され、前記プッシュスライド溝の中にはプッシュスライダがスライドできるように設置され、前記プッシュスライダの前側端面と前記プッシュスライド溝の前側内壁との間には圧着バネが連結され、前記プッシュスライダの上端には回転軸によって中間プーリが回転できるように連結され、前記中間プーリと、前記出力プーリと前記入力プーリとが前記伝動チャンバの中で三角形のように分布され、且つ前記中間プーリと、前記出力プーリと前記入力プーリにはベルトが周設され、且つ前記スライドモータが回転して前記スライドブロックを駆動して左側に移動させる時、前記圧着バネの弾力を通じて前記プッシュスライダを駆動して後側に移動させることができ、更に前記ベルトの強く引張ている状態を保持する。
【０００７】
優先的には、前記減速旋転部品は前記作動チャンバの底端内壁に固定的に連結されるリングギヤを含み、前記リングギヤと前記太陽歯車の間には左右対称の二組の遊星歯車が噛み合って連結され、前記遊星歯車には上下に伸びている遊星軸が設けられ、前記遊星軸の上端が前記遊星枠の下側端面に回転できるように連結され、前記作動チャンバの底端内壁には、前記遊星軸の下端がスライドできるように、環状軌道が設置され、
前記サポート装置は前記支柱に回転できるように連結される補助固定ブロックを含み、前記補助固定ブロックの左右側にはスイングアームが固定的に連結され、左右対称のように設置される前記スイングアームには前記補助固定ブロックに対して左右対称になるサブスライドレバーがスライドできるように連結され、前記サブスライドレバーの上端末端にはサブサポート板が固定的に連結され、前記サブスライドレバーの前端端面には前記サブサポート板の下側に位置する棒状ボタンが固定的に連結され、前記補助固定ブロックの中には切換チャンバが左右に貫通するように設けられ、前記切換チャンバの中には双面歯付ロッドがスライドできるように設置され、前記双面歯付ロッドの上端が前記補助固定ブロックの上側端面外まで伸び出され、且つ前記双面歯付ロッドの上端には前記補助固定ブロックの上側に位置するメインサポート板が固定的に連結され、前記メインサポート板と前記補助固定ブロックとが相対する側の端面の間には戻りバネが連結され、前記切換チャンバの前後側内壁の間には前記双面歯付ロッドの左右両側に位置する伝動軸が回転できるように設置され、前記伝動軸には前記双面歯付ロッドと噛み合って連結される切換歯車が設けられ、前記伝動軸には前記切換歯車の前端に位置し、且つ前記切換チャンバの中で回転できる回転レバーが設けられ、前記回転レバーのうち前記双面歯付ロッドから離れている一端が前記切換チャンバの外まで伸び出され、且つ前記回転レバーのうち前記双面歯付ロッドから離れている一端には前記棒状ボタンとスライドできるように連結される溝が前後に貫通するように設置される。
【０００８】
優先的には、前記休止装置は前記固定板の中に上下に貫通するように設置されるネジ山付軸を含み、前記ネジ山付軸の下端が前記噛合チャンバの中に挿入され、且つ前記ネジ山付軸の下端には前記下シャフト連結プレートと当接し連結できる上シャフト連結プレートが固定的に連結され、前記ネジ山付軸には前記固定板の上側に位置する昇降フレームが螺合連結され、前記昇降フレームの下端面と前記固定板の上端面との間には圧縮バネが連結され、前記昇降フレームの上端にはピストンが回転出来るように固定的に連結され、前記固定板の上端端面には前記昇降フレームとスライドできるように連結されるガイドレバーが固定的に連結され、前記作動チャンバの前後側内壁の間には前記ピストンの上端に位置するガス封入管が固定的に連結され、前記ガス封入管の中には下方に開口したガス道が設けられ、その中に、前記ピストンが前記ガス道の内壁とスライドできるように連結され、前記ガス道の中には前記ガス封入管の外部まで伸びることができるゴムエアバッグが設置され、前記ガス道の中には前記ゴムエアバッグの上側に位置し、且つ左右に相通するガス封入棒が設けられ、前記遊星枠の頂端内壁の中には液圧機械が植設され、前記液圧機械の上端末端には前記ネジ山付軸と回転できるように連結できる液圧プッシュロッドが回転できるように連結され、前記液圧機械が前記液圧プッシュロッドにより前記ネジ山付軸を押し動かして上下に移動させることができる。
【０００９】
優先的には、前記読取り装置は、外方に開口し、且つ前記回転盤の中に設置される凹み溝を含み、前記凹み溝の中には遠心プッシュブロックがスライドできるように連結され、前記遠心プッシュブロックのうち円心に近い端と前記凹み溝との間には引張バネが連結され、前記直角テーブルには左右に伸びている復帰レバーがスライドできるように連結され、前記復帰レバーの右端末端には前記遠心プッシュブロックと当接し連結される当接ブロックが設けられ、前記当節ブロックと前記遠心プッシュブロックとの間には復帰バネが連結され、前記復帰バネにはスピーカ箱が固定的に連結され、前記スピーカの上端端面にはスピーカが固定的に連結され、
前記フィードバック起動部品は前記スピーカ箱の中に設置されるネガティブフィードバックチャンバを含み、前記ネガティブフィードバックチャンバの底端内壁には上下に伸びている従動プッシュレバーがスライドできるように連結され、前記従動プッシュレバーの下端が前記スピーカ箱の下側端面の外部まで伸び出され、且つ前記従動プッシュレバーの下端には磁気ヘッドが固定的に連結され、前記従動プッシュレバーの上端末端には従動プッシュブロックが設けられ、前記従動プッシュブロックの下端と前記ネガティブフィードバックチャンバの底端内壁との間には還元バネが圧着連結され、前記直角テーブルの鉛直端の左端端面には前記ネガティブフィードバックチャンバの中に挿入される主動プッシュレバーが固定的に連結され、前記主動プッシュレバーの左端末端には前記従動プッシュブロックと当接し連結される主動プッシュブロックが設けられる。
【発明の効果】
【００１０】
本発明の有益効果は：本発明は構造が簡単で、操作が便利で、音声により本装置の作動を制御でき、装置全体が電子部品から構成されることで水に弱い欠点に対する対策として、レコードプレーヤー式のプレーヤーを採用し、オーディオの起動と休止に対して機械化制御を行う。また、同期作動原理を採用することにより、レコード盤が回転する時にレコード盤を解析し、且つ音を出す読取り装置も同期的に作動し、休止又は終えた後、ネガティブフィードバックの作用により筆をレコード盤との当接連結から離脱させ、休止する時に筆とレコードとの間の消耗を避け、レコード盤の使用寿命を伸び、且つ離脱可能なスライドカバーを採用することによりプレーヤーの防塵防水とレコード盤の変更を影響しないことを保証し、使用者に便利を与える。
【図面の簡単な説明】
【００１１】
説明の簡易を図って、下記の具体的実施例及び付図に基づき、本発明を詳しく説明する。
【００１２】
【図１】図１は本発明の音声制御の音楽プレーヤーの全体構造概略図である。
【図２】図２は図１のＡ−Ａ方向の構造概略図である。
【発明を実施するための形態】
【００１３】
下記に図１−２を合わせて本発明について詳しく説明する、意思の疎通がもっと便利になるように、下記に記載した上下左右前後の方向と図１の投影関係の上下左右前後の方向とは一致している。
【００１４】
本発明による音声制御の音楽プレーヤーは、ベース２３を含み、前記ベース２３の外側には防塵カバー１０がスライドできるように連結され、前記防塵カバー１０の上側端面にはハンドル６１が固定的に連結され、装置が使用されていない時に、効果的に防塵と防水ができる上に音楽ディスクを変更するのも便利であり、前記ベース２３の中には伝動チャンバ７２が設けられ、前記ベース２３の中には前記伝動チャンバ７２の上端に位置し、且つ上方に開口した作動チャンバ１１が設けられ、前記伝動チャンバ７２の中には同期部品が設けられ、その中に、前記同期部品の中には上下に伸びて前記作動チャンバ１１の中に挿入される出力軸２９が回転できるように連結され、前記作動チャンバ１１の底端の内壁には減速旋転部品が設置され、且つ前記出力軸２９に制御され、その中に、前記減速旋転部品の中には左右に伸びている遊星枠４０が設けられ、前記作動チャンバ１１の中にはサポート装置が左右対称のように設置され、且つ前記サポート装置が前記減速旋転部品の上端に位置し、その中に、前記サポート装置の中には前記遊星枠４０と固定的に連結でき、且つ上下に伸びている支柱４２が回転できるように連結され、前記作動チャンバ１１の中には固定板２２が固定的に連結され、且つ前記遊星枠４０の上端に位置し、前記固定板２２には休止装置がスライドできるように連結され、その中に、前記休止装置が前記減速旋転装置に制御され、音楽停止又は音楽休止の命令を受けた後にレコード盤の旋転を停止することにより音楽のプレイを停止し、前記同期部品の中には上へ伸びて前記作動チャンバ１１の中に挿入され、且つ前記出力軸２９の右端に位置する従動軸３３が回転できるように連結され、前記従動軸３３の上には読取り装置が設置され、その中に、前記読取り装置の中にはフィードバック起動部品が設けられ、且つ読取り装置がレコード盤を読取り始める時、レコード盤が同期的に旋転して音楽が流れ始め、同時に前記休止装置が起動した後に前記読取り装置がフィードバック起動部品により初期位置に戻り、レコード盤の使用寿命を保護できる。
【００１５】
有益的には、前記同期部品は、前記伝動チャンバ７２の底壁の内壁の中にはモータ２８が植設され、その中に、前記モータ２８のオンーオフを音声により制御でき、前記出力軸２９の下端が前記モータ２８の上端に伝動できるように連結され、前記出力軸２９には前記作動チャンバ１１の中に位置する太陽歯車２７が固定的に連結され、前記太陽歯車２７の中には噛合チャンバ２６が設けられ、前記出力軸２９には前記噛合チャンバ２６の中に位置する下シャフト連結プレート３５が設けられ、前記出力軸２９には前記伝動チャンバ７２の中に位置する出力プーリ３０が設けられ、前記従動軸３３には前記伝動チャンバ７２の中で回転できる入力プーリ３２が設けられ、前記従動軸３３の上端末端には回転盤６８が設けられ、前記作動チャンバ１１の前後側内壁の間には直角テーブル７１がスライドできるように設置され、その中に、前記直角テーブル７１と前記従動軸３３とが回転できるように連結され、前記読取り装置が前記直角テーブル７１の左側に設置され、
前記伝動チャンバ７２の下側内壁の中にはスライド溝９３が連通し設置され、前記スライド溝９３の中にはスライドブロック９５がスライドできるように設置され、その中に、前記従動軸３３の下端が前記スライドブロック９５の上側端面に回転できるように連結され、前記スライド溝９３の左側内壁の中にはスライドモータ９２が固定的に設置され、前記スライドモータ９２の右端には前記スライドブロック９５と螺合連結されるスライドリードスクリュー９４が伝動できるように連結され、前記伝動チャンバ７２の下側内壁の中にはプッシュスライド溝９６が連通し設置され、前記プッシュスライド溝９６の中にはプッシュスライダ９７がスライドできるように設置され、前記プッシュスライダ９７の前側端面と前記プッシュスライド溝９６の前側内壁との間には圧着バネ９８が連結され、前記プッシュスライダ９７の上端には回転軸によって中間プーリ９１が回転できるように連結され、前記中間プーリ９１と、前記出力プーリ３０と前記入力プーリ３２とが前記伝動チャンバ７２の中で三角形のように分布され、且つ前記中間プーリ９１と、前記出力プーリ３０と前記入力プーリ３２にはベルト３１が周設され、且つ前記スライドモータ９２が回転して前記スライドブロック９５を駆動して左側に移動させる時、前記圧着バネ９８の弾力を通じて前記プッシュスライダ９７を駆動して後側に移動させることができ、更に前記ベルト３１の強く引張ている状態を保持する。
【００１６】
有益的には、前記減速旋転部品は前記作動チャンバ１１の底端内壁に固定的に連結されるリングギヤ３６を含み、前記リングギヤ３６と前記太陽歯車２７の間には左右対称の二組の遊星歯車３７が噛み合って連結され、前記遊星歯車３７には上下に伸びている遊星軸３８が設けられ、前記遊星軸３８の上端が前記遊星枠４０の下側端面に回転できるように連結され、前記作動チャンバ１１の底端内壁には、前記遊星軸３８の下端がスライドできるように、環状軌道３４が設置され、
前記サポート装置は前記支柱４２に回転できるように連結される補助固定ブロック１４を含み、前記補助固定ブロック１４の左右側にはスイングアーム１９が固定的に連結され、左右対称のように設置される前記スイングアーム１９には前記補助固定ブロック１４に対して左右対称になるサブスライドレバー１７がスライドできるように連結され、前記サブスライドレバー１７の上端末端にはサブサポート板４７が固定的に連結され、前記サブスライドレバー１７の前端端面には前記サブサポート板４７の下側に位置する棒状ボタン１６が固定的に連結され、前記補助固定ブロック１４の中には切換チャンバ４３が左右に貫通するように設けられ、前記切換チャンバ４３の中には双面歯付ロッド１８がスライドできるように設置され、前記双面歯付ロッド１８の上端が前記補助固定ブロック１４の上側端面外まで伸び出され、且つ前記双面歯付ロッド１８の上端には前記補助固定ブロック１４の上側に位置するメインサポート板１２が固定的に連結され、前記メインサポート板１２と前記補助固定ブロック１４とが相対する側の端面の間には戻りバネ１３が連結され、前記切換チャンバ４３の前後側内壁の間には前記双面歯付ロッド１８の左右両側に位置する伝動軸１５が回転できるように設置され、前記伝動軸１５には前記双面歯付ロッド１８と噛み合って連結される切換歯車４４が設けられ、前記伝動軸１５には前記切換歯車４４の前端に位置し、且つ前記切換チャンバ４３の中で回転できる回転レバー４５が設けられ、前記回転レバー４５のうち前記双面歯付ロッド１８から離れている一端が前記切換チャンバ４３の外まで伸び出され、且つ前記回転レバー４５のうち前記双面歯付ロッド１８から離れている一端には前記棒状ボタン１６とスライドできるように連結される溝４６が前後に貫通するように設置される。
【００１７】
前記休止装置は前記固定板２２の中に上下に貫通するように設置されるネジ山付軸２４を含み、前記ネジ山付軸２４の下端が前記噛合チャンバ２６の中に挿入され、且つ前記ネジ山付軸２４の下端には前記下シャフト連結プレート３５と当接し連結できる上シャフト連結プレート２５が固定的に連結され、前記ネジ山付軸２４には前記固定板２２の上側に位置する昇降フレーム２０が螺合連結され、前記昇降フレーム２０の下端面と前記固定板２２の上端面との間には圧縮バネ２１が連結され、前記昇降フレーム２０の上端にはピストン５６が回転出来るように固定的に連結され、前記固定板２２の上端端面には前記昇降フレーム２０とスライドできるように連結されるガイドレバー４８が固定的に連結され、前記作動チャンバ１１の前後側内壁の間には前記ピストン５６の上端に位置するガス封入管６０が固定的に連結され、前記ガス封入管６０の中には下方に開口したガス道５９が設けられ、その中に、前記ピストン５６が前記ガス道５９の内壁とスライドできるように連結され、前記ガス道５９の中には前記ガス封入管６０の外部まで伸びることができるゴムエアバッグ５７が設置され、前記ガス道５９の中には前記ゴムエアバッグ５７の上側に位置し、且つ左右に相通するガス封入棒５８が設けられ、前記遊星枠４０の頂端内壁の中には液圧機械３９が植設され、前記液圧機械３９の上端末端には前記ネジ山付軸２４と回転できるように連結できる液圧プッシュロッド４１が回転できるように連結され、前記液圧機械３９が前記液圧プッシュロッド４１により前記ネジ山付軸２４を押し動かして上下に移動させることができる。
【００１８】
有益的には、前記読取り装置は、外方に開口し、且つ前記回転盤６８の中に設置される凹み溝６９を含み、前記凹み溝６９の中には遠心プッシュブロック７０がスライドできるように連結され、前記遠心プッシュブロック７０のうち円心に近い端と前記凹み溝６９との間には引張バネ６７が連結され、前記直角テーブル７１には左右に伸びている復帰レバー６４がスライドできるように連結され、前記復帰レバー６４の右端末端には前記遠心プッシュブロック７０と当接し連結される当接ブロック６６が設けられ、前記当節ブロック６６と前記遠心プッシュブロック７０との間には復帰バネ６５が連結され、前記復帰バネ６５にはスピーカ箱５５が固定的に連結され、前記スピーカ５５の上端端面にはスピーカ６２が固定的に連結され、
前記フィードバック起動部品は前記スピーカ箱５５の中に設置されるネガティブフィードバックチャンバ５３を含み、前記ネガティブフィードバックチャンバ５３の底端内壁には上下に伸びている従動プッシュレバー５０がスライドできるように連結され、前記従動プッシュレバー５０の下端が前記スピーカ箱５５の下側端面の外部まで伸び出され、且つ前記従動プッシュレバー５０の下端には磁気ヘッド４９が固定的に連結され、前記従動プッシュレバー５０の上端末端には従動プッシュブロック５２が設けられ、前記従動プッシュブロック５２の下端と前記ネガティブフィードバックチャンバ５３の底端内壁との間には還元バネ５１が圧着連結され、前記直角テーブル７１の鉛直端の左端端面には前記ネガティブフィードバックチャンバ５３の中に挿入される主動プッシュレバー６３が固定的に連結され、前記主動プッシュレバー６３の左端末端には前記従動プッシュブロック５２と当接し連結される主動プッシュブロック５４が設けられる。
【００１９】
本発明の音声制御の音楽プレーヤーは初期状態である時、前記サブサポート板４７が前記メインサポート板１２と同じ水平面に位置しておらず、且つ前記メインサポート板１２の水平面以下に位置しており、前記上シャフト連結プレート２５と前記下シャフト連結プレート３５とが当接し連結されてないので、休止装置が起動しなく、前記回転盤６８が旋転していないので、遠心力を引き出して前記遠心プッシュブロック７０を前記凹み溝６９の中に位置させることにならなく、装置内におけるすべてのバネにも弾性変形がなく、前記モータ２８がオフ状態にあり、各部品が非作動状態にある。
【００２０】
本発明の音声制御の音楽プレーヤーが作動している時、レコード盤を前記メインサポート板１２に置き、レコード盤の重力により前記双面歯付レバー１８がずり下がり、前記双面歯付レバー１８が前記切換歯車４４と噛み合って連結されることにより対称中心端へ旋転し、前記切換歯車４４が前記伝動軸１５により前記回転レバー４５を回転させ、これにより前記溝４６が前記棒状ボタン１６を回して上へ移動させ、前記棒状ボタン１６が前記サブスライドレバー１７により前記サブサポート板４７をレコード盤と当接させてサポートするのに補助し、音声制御によって前記モータ２８を起動させ、これにより前記出力軸２９により前記出力プーリ３０と前記太陽歯車２７と前記下シャフト連結プレート３５とを回転させ、前記太陽歯車２７によって噛合連結を通じて前記遊星歯車３７を回転させ、また前記遊星歯車３７により前記リングギヤ３６を駆動して旋転させ、前記遊星歯車３７が前記遊星軸３８を通じて前記環状軌道３４の中でスライドして前記遊星枠４０を安定に旋転させ、前記出力プーリ３０が前記プーリ３１により前記入力プーリ３２を駆動して旋転させ、前記入力プーリ３２が前記従動軸３３により高速に旋転して遠心力を通じて前記遠心プッシュブロック７０を遠心から離れるようにスライドさせ、前記当接ブロック６６との当接連結により前記復帰レバー６４を押し動かして左へスライドさせ、前記復帰レバー６４が前記スピーカ箱５５を駆動してスライドさせ、前記主動プッシュレバー６３の距離が変わらないため、前記主動プッシュブロック５４を前記スピーカ箱５５に対して右へ移動させ、前記主動プッシュブロック５４と前記従動プッシュブロック５２との当接連結により前記従動プッシュレバー５０を下へ移動させて前記磁気ヘッドとレコード盤とを当接させ、前記スピーカ６２により音声を流し、休止又は終えるという言語命令を受けた後に、前記液圧機械３９が起動して前記液圧プッシュレバー４１により前記ネジ山付軸２４を下へ移動させ、これにより前記上シャフト連結プレート２５が前記下シャフト連結プレート３５と当接連結されて回転し、前記ネジ山付軸２４と前記昇降フレーム２０との螺合連結を通じて前記昇降フレーム２０を上へ移動させ、同時に前記昇降フレーム２０の旋転上昇により前記圧縮バネ２１が位置エネルギーを蓄積し、前記昇降フレーム２０が前記ピストン５６により前記ゴムエアバッグ５７を押し、これにより前記ガス封入棒５８とレコード盤とを接触させて徐々に加速させ、同時に前記モータ２８をオフし、また旋転を停止し、前記圧縮バネ２１の弾性が還元することにより前記昇降フレーム２０が初期場所に移動し、同時に、前記スライドモータ９２の回転により前記従動軸３３を駆動して左右に移動させることができ、その上で更に前記直角テーブル７１を駆動して左右に移動させ、その上で更に前記磁気ヘッド４９を駆動して左右に移動させ、ディスクの回転と協力し、前記磁気ヘッド４９がディスク内の音楽情報を読み取ることができる。
【００２１】
本発明の音声制御の音楽プレーヤーは作動を終えた後に、前記モータ２８が停止し、これにより装置内の動力入力が消え、この時、バネの弾性が還元することにより各部品が初期状態に戻る。
【００２２】
上記の方式を通じて、本分野の当業者は本発明の範囲内に作動パターンにより様々な変化を行える。
【図１】
2020155194.tif 000003
【図２】
2020155194.tif 000004
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
ベースを含み、前記ベースの外側には防塵カバーがスライドできるように連結され、前記防塵カバーの上側端面にはハンドルが固定的に連結され、装置が使用されていない時に、効果的に防塵と防水ができる上に音楽ディスクを変更するのも便利であり、前記ベースの中には伝動チャンバが設けられ、前記ベースの中には前記伝動チャンバの上端に位置し、且つ上方に開口した作動チャンバが設けられ、前記伝動チャンバの中には同期部品が設けられ、前記同期部品の中には上下に伸びて前記作動チャンバの中に挿入される出力軸が回転できるように連結され、前記作動チャンバの底端の内壁には減速旋転部品が設置され、且つ前記出力軸に制御され、前記減速旋転部品の中には左右に伸びている遊星枠が設けられ、前記作動チャンバの中にはサポート装置が左右対称のように設置され、且つ前記サポート装置が前記減速旋転部品の上端に位置し、前記サポート装置の中には前記遊星枠と固定的に連結でき、且つ上下に伸びている支柱が回転できるように連結され、前記作動チャンバの前後側内壁の間には固定板が固定的に連結され、且つ前記固定板が前記遊星枠の上端に位置し、前記固定板には休止装置がスライドできるように連結され、前記休止装置が前記減速旋転部品に制御され、音楽停止又は音楽休止の命令を受けた後にレコード盤の旋転を停止することにより音楽のプレイを停止し、前記作動チャンバの前後側内壁の間には従動軸が回転できるように設置され、前記従動軸の上には読取り装置が設置され、前記読取り装置の中にはフィードバック起動部品が設けられ、且つ読取り装置がレコード盤を読取り始める時、レコード盤が同期的に旋転して音楽が流れ始め、前記休止装置が起動した後に前記読取り装置がフィードバック起動部品により初期位置に戻り、レコード盤の使用寿命を保護でき、
前記同期部品は、前記伝動チャンバの底壁の内壁の中にはモータが植設され、前記モータのオンーオフを音声により制御でき、前記出力軸の下端が前記モータの上端に伝動できるように連結され、前記出力軸には前記作動チャンバの中に位置する太陽歯車が固定的に連結され、前記太陽歯車の中には噛合チャンバが設けられ、前記出力軸には前記噛合チャンバの中に位置する下シャフト連結プレートが設けられ、前記出力軸には前記伝動チャンバの中に位置する出力プーリが設けられ、前記従動軸には前記伝動チャンバの中で回転できる入力プーリが設けられ、前記従動軸の上端末端には回転盤が設けられ、前記作動チャンバの前後側内壁の間には直角テーブルがスライドできるように設置され、前記直角テーブルと前記従動軸とが回転できるように連結され、前記読取り装置が前記直角テーブルの左側に設置され、
前記伝動チャンバの下側内壁の中にはスライド溝が連通し設置され、前記スライド溝の中にはスライドブロックがスライドできるように設置され、前記従動軸の下端が前記スライドブロックの上側端面に回転できるように連結され、前記スライド溝の左側内壁の中にはスライドモータが固定的に設置され、前記スライドモータの右端には前記スライドブロックと螺合連結されるスライドリードスクリューが伝動できるように連結され、前記伝動チャンバの下側内壁の中にはプッシュスライド溝が連通し設置され、前記プッシュスライド溝の中にはプッシュスライダがスライドできるように設置され、前記プッシュスライダの前側端面と前記プッシュスライド溝の前側内壁との間には圧着バネが連結され、前記プッシュスライダの上端には回転軸によって中間プーリが回転できるように連結され、前記中間プーリと、前記出力プーリと前記入力プーリとが前記伝動チャンバの中で三角形のように分布され、且つ前記中間プーリと、前記出力プーリと前記入力プーリにはベルトが周設され、且つ前記スライドモータが回転して前記スライドブロックを駆動して左側に移動させる時、前記圧着バネの弾力を通じて前記プッシュスライダを駆動して後側に移動させることができ、更に前記ベルトの強く引張ている状態を保持し、
前記減速旋転部品は前記作動チャンバの底端内壁に固定的に連結されるリングギヤを含み、前記リングギヤと前記太陽歯車の間には左右対称の二組の遊星歯車が噛み合って連結され、前記遊星歯車には上下に伸びている遊星軸が設けられ、前記遊星軸の上端が前記遊星枠の下側端面に回転できるように連結され、前記作動チャンバの底端内壁には、前記遊星軸の下端がスライドできるように、環状軌道が設置され、
前記サポート装置は前記支柱に回転できるように連結される補助固定ブロックを含み、前記補助固定ブロックの左右側にはスイングアームが固定的に連結され、左右対称のように設置される前記スイングアームには前記補助固定ブロックに対して左右対称になるサブスライドレバーがスライドできるように連結され、前記サブスライドレバーの上端末端にはサブサポート板が固定的に連結され、前記サブスライドレバーの前端端面には前記サブサポート板の下側に位置する棒状ボタンが固定的に連結され、前記補助固定ブロックの中には切換チャンバが左右に貫通するように設けられ、前記切換チャンバの中には双面歯付ロッドがスライドできるように設置され、前記双面歯付ロッドの上端が前記補助固定ブロックの上側端面外まで伸び出され、且つ前記双面歯付ロッドの上端には前記補助固定ブロックの上側に位置するメインサポート板が固定的に連結され、前記メインサポート板と前記補助固定ブロックとが相対する側の端面の間には戻りバネが連結され、前記切換チャンバの前後側内壁の間には前記双面歯付ロッドの左右両側に位置する伝動軸が回転できるように設置され、前記伝動軸には前記双面歯付ロッドと噛み合って連結される切換歯車が設けられ、前記伝動軸には前記切換歯車の前端に位置し、且つ前記切換チャンバの中で回転できる回転レバーが設けられ、前記回転レバーのうち前記双面歯付ロッドから離れている一端が前記切換チャンバの外まで伸び出され、且つ前記回転レバーのうち前記双面歯付ロッドから離れている一端には前記棒状ボタンとスライドできるように連結される溝が前後に貫通するように設置され、
前記休止装置は前記固定板の中に上下に貫通するように設置されるネジ山付軸を含み、前記ネジ山付軸の下端が前記噛合チャンバの中に挿入され、且つ前記ネジ山付軸の下端には前記下シャフト連結プレートと当接し連結できる上シャフト連結プレートが固定的に連結され、前記ネジ山付軸には前記固定板の上側に位置する昇降フレームが螺合連結され、前記昇降フレームの下端面と前記固定板の上端面との間には圧縮バネが連結され、前記昇降フレームの上端にはピストンが回転出来るように固定的に連結され、前記固定板の上端端面には前記昇降フレームとスライドできるように連結されるガイドレバーが固定的に連結され、前記作動チャンバの前後側内壁の間には前記ピストンの上端に位置するガス封入管が固定的に連結され、前記ガス封入管の中には下方に開口したガス道が設けられ、その中に、前記ピストンが前記ガス道の内壁とスライドできるように連結され、前記ガス道の中には前記ガス封入管の外部まで伸びることができるゴムエアバッグが設置され、前記ガス道の中には前記ゴムエアバッグの上側に位置し、且つ左右に相通するガス封入棒が設けられ、前記遊星枠の頂端内壁の中には液圧機械が植設され、前記液圧機械の上端末端には前記ネジ山付軸と回転できるように連結できる液圧プッシュロッドが回転できるように連結され、前記液圧機械が前記液圧プッシュロッドにより前記ネジ山付軸を押し動かして上下に移動させることができ、
前記読取り装置は、外方に開口し、且つ前記回転盤の中に設置される凹み溝を含み、前記凹み溝の中には遠心プッシュブロックがスライドできるように連結され、前記遠心プッシュブロックのうち円心に近い端と前記凹み溝との間には引張バネが連結され、前記直角テーブルには左右に伸びている復帰レバーがスライドできるように連結され、前記復帰レバーの右端末端には前記遠心プッシュブロックと当接し連結される当接ブロックが設けられ、前記当接ブロックと前記遠心プッシュブロックとの間には復帰バネが連結され、前記復帰レバーの左端にはスピーカ箱が固定的に連結され、前記スピーカ箱の上端端面にはスピーカが固定的に連結され、
前記フィードバック起動部品は前記スピーカ箱の中に設置されるネガティブフィードバックチャンバを含み、前記ネガティブフィードバックチャンバの底端内壁には上下に伸びている従動プッシュレバーがスライドできるように連結され、前記従動プッシュレバーの下端が前記スピーカ箱の下側端面の外部まで伸び出され、且つ前記従動プッシュレバーの下端には磁気ヘッドが固定的に連結され、前記従動プッシュレバーの上端末端には従動プッシュブロックが設けられ、前記従動プッシュブロックの下端と前記ネガティブフィードバックチャンバの底端内壁との間には還元バネが圧着連結され、前記直角テーブルの鉛直端の左端端面には前記ネガティブフィードバックチャンバの中に挿入される主動プッシュレバーが固定的に連結され、前記主動プッシュレバーの左端末端には前記従動プッシュブロックと当接し連結される主動プッシュブロックが設けられることを特徴とする音声制御の音楽プレーヤー。
【手続補正２】
【補正対象書類名】明細書
【補正対象項目名】全文
【補正方法】変更
【補正の内容】
【発明の詳細な説明】
【技術分野】
【０００１】
本発明はオーディオ設備技術分野に関し、具体的には音声制御の音楽プレーヤーに関する。
【背景技術】
【０００２】
音楽は、現代人にとって、忙しい一日の終えた後にリラックスの最良案である。しかし、伝統的な音楽プレーヤーは、手動でボタンを押して装置を起動させなければ音楽のプレイができなく、また、距離と温度などの環境要素から影響を受けて、使用者がプレーヤーを制御するのに足を運びたくないこともある。こういう時、音声により音楽プレーヤーを制御できる機械がオーディオ業界の発展において必然な傾向になる。本発明のレコードプレーヤーパターンの音楽プレーヤーは、受信した音声を識別することにより、装置内の動力源の起動と装置の休止と音楽の停止を制御する。
【先行技術文献】
【特許文献】
【０００３】
【特許文献１】中国特許出願公開第１０３８８６８７７号明細書
【発明の概要】
【発明が解決しようとする課題】
【０００４】
本発明の目的は音声制御の音楽プレーヤーを提供し、既存の技術にある上記の欠陥を補うことにある。
【課題を解決するための手段】
【０００５】
音声制御の音楽プレーヤーは、ベースを含み、前記ベースの外側には防塵カバーがスライドできるように連結され、前記防塵カバーの上側端面にはハンドルが固定的に連結され、装置が使用されていない時に、効果的に防塵と防水ができる上に音楽ディスクを変更するのも便利であり、前記ベースの中には伝動チャンバが設けられ、前記ベースの中には前記伝動チャンバの上端に位置し、且つ上方に開口した作動チャンバが設けられ、前記伝動チャンバの中には同期部品が設けられ、前記同期部品の中には上下に伸びて前記作動チャンバの中に挿入される出力軸が回転できるように連結され、前記作動チャンバの底端の内壁には減速旋転部品が設置され、且つ前記出力軸に制御され、前記減速旋転部品の中には左右に伸びている遊星枠が設けられ、前記作動チャンバの中にはサポート装置が左右対称のように設置され、且つ前記サポート装置が前記減速旋転部品の上端に位置し、前記サポート装置の中には前記遊星枠と固定的に連結でき、且つ上下に伸びている支柱が回転できるように連結され、前記作動チャンバの前後側内壁の間には固定板が固定的に連結され、且つ前記固定板が前記遊星枠の上端に位置し、前記固定板には休止装置がスライドできるように連結され、前記休止装置が前記減速旋転部品に制御され、音楽停止又は音楽休止の命令を受けた後にレコード盤の旋転を停止することにより音楽のプレイを停止し、前記作動チャンバの前後側内壁の間には従動軸が回転できるように設置され、前記従動軸の上には読取り装置が設置され、前記読取り装置の中にはフィードバック起動部品が設けられ、且つ読取り装置がレコード盤を読取り始める時、レコード盤が同期的に旋転して音楽が流れ始め、前記休止装置が起動した後に前記読取り装置がフィードバック起動部品により初期位置に戻り、レコード盤の使用寿命を保護できる。
【０００６】
優先的には、前記同期部品は、前記伝動チャンバの底壁の内壁の中にはモータが植設され、前記モータのオンーオフを音声により制御でき、前記出力軸の下端が前記モータの上端に伝動できるように連結され、前記出力軸には前記作動チャンバの中に位置する太陽歯車が固定的に連結され、前記太陽歯車の中には噛合チャンバが設けられ、前記出力軸には前記噛合チャンバの中に位置する下シャフト連結プレートが設けられ、前記出力軸には前記伝動チャンバの中に位置する出力プーリが設けられ、前記従動軸には前記伝動チャンバの中で回転できる入力プーリが設けられ、前記従動軸の上端末端には回転盤が設けられ、前記作動チャンバの前後側内壁の間には直角テーブルがスライドできるように設置され、前記直角テーブルと前記従動軸とが回転できるように連結され、前記読取り装置が前記直角テーブルの左側に設置され、
前記伝動チャンバの下側内壁の中にはスライド溝が連通し設置され、前記スライド溝の中にはスライドブロックがスライドできるように設置され、前記従動軸の下端が前記スライドブロックの上側端面に回転できるように連結され、前記スライド溝の左側内壁の中にはスライドモータが固定的に設置され、前記スライドモータの右端には前記スライドブロックと螺合連結されるスライドリードスクリューが伝動できるように連結され、前記伝動チャンバの下側内壁の中にはプッシュスライド溝が連通し設置され、前記プッシュスライド溝の中にはプッシュスライダがスライドできるように設置され、前記プッシュスライダの前側端面と前記プッシュスライド溝の前側内壁との間には圧着バネが連結され、前記プッシュスライダの上端には回転軸によって中間プーリが回転できるように連結され、前記中間プーリと、前記出力プーリと前記入力プーリとが前記伝動チャンバの中で三角形のように分布され、且つ前記中間プーリと、前記出力プーリと前記入力プーリにはベルトが周設され、且つ前記スライドモータが回転して前記スライドブロックを駆動して左側に移動させる時、前記圧着バネの弾力を通じて前記プッシュスライダを駆動して後側に移動させることができ、更に前記ベルトの強く引張ている状態を保持する。
【０００７】
優先的には、前記減速旋転部品は前記作動チャンバの底端内壁に固定的に連結されるリングギヤを含み、前記リングギヤと前記太陽歯車の間には左右対称の二組の遊星歯車が噛み合って連結され、前記遊星歯車には上下に伸びている遊星軸が設けられ、前記遊星軸の上端が前記遊星枠の下側端面に回転できるように連結され、前記作動チャンバの底端内壁には、前記遊星軸の下端がスライドできるように、環状軌道が設置され、
前記サポート装置は前記支柱に回転できるように連結される補助固定ブロックを含み、前記補助固定ブロックの左右側にはスイングアームが固定的に連結され、左右対称のように設置される前記スイングアームには前記補助固定ブロックに対して左右対称になるサブスライドレバーがスライドできるように連結され、前記サブスライドレバーの上端末端にはサブサポート板が固定的に連結され、前記サブスライドレバーの前端端面には前記サブサポート板の下側に位置する棒状ボタンが固定的に連結され、前記補助固定ブロックの中には切換チャンバが左右に貫通するように設けられ、前記切換チャンバの中には双面歯付ロッドがスライドできるように設置され、前記双面歯付ロッドの上端が前記補助固定ブロックの上側端面外まで伸び出され、且つ前記双面歯付ロッドの上端には前記補助固定ブロックの上側に位置するメインサポート板が固定的に連結され、前記メインサポート板と前記補助固定ブロックとが相対する側の端面の間には戻りバネが連結され、前記切換チャンバの前後側内壁の間には前記双面歯付ロッドの左右両側に位置する伝動軸が回転できるように設置され、前記伝動軸には前記双面歯付ロッドと噛み合って連結される切換歯車が設けられ、前記伝動軸には前記切換歯車の前端に位置し、且つ前記切換チャンバの中で回転できる回転レバーが設けられ、前記回転レバーのうち前記双面歯付ロッドから離れている一端が前記切換チャンバの外まで伸び出され、且つ前記回転レバーのうち前記双面歯付ロッドから離れている一端には前記棒状ボタンとスライドできるように連結される溝が前後に貫通するように設置される。
【０００８】
優先的には、前記休止装置は前記固定板の中に上下に貫通するように設置されるネジ山付軸を含み、前記ネジ山付軸の下端が前記噛合チャンバの中に挿入され、且つ前記ネジ山付軸の下端には前記下シャフト連結プレートと当接し連結できる上シャフト連結プレートが固定的に連結され、前記ネジ山付軸には前記固定板の上側に位置する昇降フレームが螺合連結され、前記昇降フレームの下端面と前記固定板の上端面との間には圧縮バネが連結され、前記昇降フレームの上端にはピストンが回転出来るように固定的に連結され、前記固定板の上端端面には前記昇降フレームとスライドできるように連結されるガイドレバーが固定的に連結され、前記作動チャンバの前後側内壁の間には前記ピストンの上端に位置するガス封入管が固定的に連結され、前記ガス封入管の中には下方に開口したガス道が設けられ、その中に、前記ピストンが前記ガス道の内壁とスライドできるように連結され、前記ガス道の中には前記ガス封入管の外部まで伸びることができるゴムエアバッグが設置され、前記ガス道の中には前記ゴムエアバッグの上側に位置し、且つ左右に相通するガス封入棒が設けられ、前記遊星枠の頂端内壁の中には液圧機械が植設され、前記液圧機械の上端末端には前記ネジ山付軸と回転できるように連結できる液圧プッシュロッドが回転できるように連結され、前記液圧機械が前記液圧プッシュロッドにより前記ネジ山付軸を押し動かして上下に移動させることができる。
【０００９】
優先的には、前記読取り装置は、外方に開口し、且つ前記回転盤の中に設置される凹み溝を含み、前記凹み溝の中には遠心プッシュブロックがスライドできるように連結され、前記遠心プッシュブロックのうち円心に近い端と前記凹み溝との間には引張バネが連結され、前記直角テーブルには左右に伸びている復帰レバーがスライドできるように連結され、前記復帰レバーの右端末端には前記遠心プッシュブロックと当接し連結される当接ブロックが設けられ、前記当接ブロックと前記遠心プッシュブロックとの間には復帰バネが連結され、前記復帰レバーの左端にはスピーカ箱が固定的に連結され、前記スピーカ箱の上端端面にはスピーカが固定的に連結され、
前記フィードバック起動部品は前記スピーカ箱の中に設置されるネガティブフィードバックチャンバを含み、前記ネガティブフィードバックチャンバの底端内壁には上下に伸びている従動プッシュレバーがスライドできるように連結され、前記従動プッシュレバーの下端が前記スピーカ箱の下側端面の外部まで伸び出され、且つ前記従動プッシュレバーの下端には磁気ヘッドが固定的に連結され、前記従動プッシュレバーの上端末端には従動プッシュブロックが設けられ、前記従動プッシュブロックの下端と前記ネガティブフィードバックチャンバの底端内壁との間には還元バネが圧着連結され、前記直角テーブルの鉛直端の左端端面には前記ネガティブフィードバックチャンバの中に挿入される主動プッシュレバーが固定的に連結され、前記主動プッシュレバーの左端末端には前記従動プッシュブロックと当接し連結される主動プッシュブロックが設けられる。
【発明の効果】
【００１０】
本発明の有益効果は：本発明は構造が簡単で、操作が便利で、音声により本装置の作動を制御でき、装置全体が電子部品から構成されることで水に弱い欠点に対する対策として、レコードプレーヤー式のプレーヤーを採用し、オーディオの起動と休止に対して機械化制御を行う。また、同期作動原理を採用することにより、レコード盤が回転する時にレコード盤を解析し、且つ音を出す読取り装置も同期的に作動し、休止又は終えた後、ネガティブフィードバックの作用により筆をレコード盤との当接連結から離脱させ、休止する時に筆とレコードとの間の消耗を避け、レコード盤の使用寿命を伸び、且つ離脱可能なスライドカバーを採用することによりプレーヤーの防塵防水とレコード盤の変更を影響しないことを保証し、使用者に便利を与える。
【図面の簡単な説明】
【００１１】
説明の簡易を図って、下記の具体的実施例及び付図に基づき、本発明を詳しく説明する。
【００１２】
【図１】図１は本発明の音声制御の音楽プレーヤーの全体構造概略図である。
【図２】図２は図１のＡ−Ａ方向の構造概略図である。
【発明を実施するための形態】
【００１３】
下記に図１−２を合わせて本発明について詳しく説明する、意思の疎通がもっと便利になるように、下記に記載した上下左右前後の方向と図１の投影関係の上下左右前後の方向とは一致している。
【００１４】
本発明による音声制御の音楽プレーヤーは、ベース２３を含み、前記ベース２３の外側には防塵カバー１０がスライドできるように連結され、前記防塵カバー１０の上側端面にはハンドル６１が固定的に連結され、装置が使用されていない時に、効果的に防塵と防水ができる上に音楽ディスクを変更するのも便利であり、前記ベース２３の中には伝動チャンバ７２が設けられ、前記ベース２３の中には前記伝動チャンバ７２の上端に位置し、且つ上方に開口した作動チャンバ１１が設けられ、前記伝動チャンバ７２の中には同期部品が設けられ、前記同期部品の中には上下に伸びて前記作動チャンバ１１の中に挿入される出力軸２９が回転できるように連結され、前記作動チャンバ１１の底端の内壁には減速旋転部品が設置され、且つ前記出力軸２９に制御され、前記減速旋転部品の中には左右に伸びている遊星枠４０が設けられ、前記作動チャンバ１１の中にはサポート装置が左右対称のように設置され、且つ前記サポート装置が前記減速旋転部品の上端に位置し、前記サポート装置の中には前記遊星枠４０と固定的に連結でき、且つ上下に伸びている支柱４２が回転できるように連結され、前記作動チャンバ１１の前後側内壁の間には固定板２２が固定的に連結され、且つ前記固定板２２が前記遊星枠４０の上端に位置し、前記固定板２２には休止装置がスライドできるように連結され、前記休止装置が前記減速旋転部品に制御され、音楽停止又は音楽休止の命令を受けた後にレコード盤の旋転を停止することにより音楽のプレイを停止し、前記作動チャンバ１１の前後側内壁の間には従動軸３３が回転できるように設置され、前記従動軸３３の上には読取り装置が設置され、前記読取り装置の中にはフィードバック起動部品が設けられ、且つ読取り装置がレコード盤を読取り始める時、レコード盤が同期的に旋転して音楽が流れ始め、前記休止装置が起動した後に前記読取り装置がフィードバック起動部品により初期位置に戻り、レコード盤の使用寿命を保護できる。
【００１５】
有益的には、前記同期部品は、前記伝動チャンバ７２の底壁の内壁の中にはモータ２８が植設され、前記モータ２８のオンーオフを音声により制御でき、前記出力軸２９の下端が前記モータ２８の上端に伝動できるように連結され、前記出力軸２９には前記作動チャンバ１１の中に位置する太陽歯車２７が固定的に連結され、前記太陽歯車２７の中には噛合チャンバ２６が設けられ、前記出力軸２９には前記噛合チャンバ２６の中に位置する下シャフト連結プレート３５が設けられ、前記出力軸２９には前記伝動チャンバ７２の中に位置する出力プーリ３０が設けられ、前記従動軸３３には前記伝動チャンバ７２の中で回転できる入力プーリ３２が設けられ、前記従動軸３３の上端末端には回転盤６８が設けられ、前記作動チャンバ１１の前後側内壁の間には直角テーブル７１がスライドできるように設置され、前記直角テーブル７１と前記従動軸３３とが回転できるように連結され、前記読取り装置が前記直角テーブル７１の左側に設置され、
前記伝動チャンバ７２の下側内壁の中にはスライド溝９３が連通し設置され、前記スライド溝９３の中にはスライドブロック９５がスライドできるように設置され、前記従動軸３３の下端が前記スライドブロック９５の上側端面に回転できるように連結され、前記スライド溝９３の左側内壁の中にはスライドモータ９２が固定的に設置され、前記スライドモータ９２の右端には前記スライドブロック９５と螺合連結されるスライドリードスクリュー９４が伝動できるように連結され、前記伝動チャンバ７２の下側内壁の中にはプッシュスライド溝９６が連通し設置され、前記プッシュスライド溝９６の中にはプッシュスライダ９７がスライドできるように設置され、前記プッシュスライダ９７の前側端面と前記プッシュスライド溝９６の前側内壁との間には圧着バネ９８が連結され、前記プッシュスライダ９７の上端には回転軸によって中間プーリ９１が回転できるように連結され、前記中間プーリ９１と、前記出力プーリ３０と前記入力プーリ３２とが前記伝動チャンバ７２の中で三角形のように分布され、且つ前記中間プーリ９１と、前記出力プーリ３０と前記入力プーリ３２にはベルト３１が周設され、且つ前記スライドモータ９２が回転して前記スライドブロック９５を駆動して左側に移動させる時、前記圧着バネ９８の弾力を通じて前記プッシュスライダ９７を駆動して後側に移動させることができ、更に前記ベルト３１の強く引張ている状態を保持する。
【００１６】
有益的には、前記減速旋転部品は前記作動チャンバ１１の底端内壁に固定的に連結されるリングギヤ３６を含み、前記リングギヤ３６と前記太陽歯車２７の間には左右対称の二組の遊星歯車３７が噛み合って連結され、前記遊星歯車３７には上下に伸びている遊星軸３８が設けられ、前記遊星軸３８の上端が前記遊星枠４０の下側端面に回転できるように連結され、前記作動チャンバ１１の底端内壁には、前記遊星軸３８の下端がスライドできるように、環状軌道３４が設置され、
前記サポート装置は前記支柱４２に回転できるように連結される補助固定ブロック１４を含み、前記補助固定ブロック１４の左右側にはスイングアーム１９が固定的に連結され、左右対称のように設置される前記スイングアーム１９には前記補助固定ブロック１４に対して左右対称になるサブスライドレバー１７がスライドできるように連結され、前記サブスライドレバー１７の上端末端にはサブサポート板４７が固定的に連結され、前記サブスライドレバー１７の前端端面には前記サブサポート板４７の下側に位置する棒状ボタン１６が固定的に連結され、前記補助固定ブロック１４の中には切換チャンバ４３が左右に貫通するように設けられ、前記切換チャンバ４３の中には双面歯付ロッド１８がスライドできるように設置され、前記双面歯付ロッド１８の上端が前記補助固定ブロック１４の上側端面外まで伸び出され、且つ前記双面歯付ロッド１８の上端には前記補助固定ブロック１４の上側に位置するメインサポート板１２が固定的に連結され、前記メインサポート板１２と前記補助固定ブロック１４とが相対する側の端面の間には戻りバネ１３が連結され、前記切換チャンバ４３の前後側内壁の間には前記双面歯付ロッド１８の左右両側に位置する伝動軸１５が回転できるように設置され、前記伝動軸１５には前記双面歯付ロッド１８と噛み合って連結される切換歯車４４が設けられ、前記伝動軸１５には前記切換歯車４４の前端に位置し、且つ前記切換チャンバ４３の中で回転できる回転レバー４５が設けられ、前記回転レバー４５のうち前記双面歯付ロッド１８から離れている一端が前記切換チャンバ４３の外まで伸び出され、且つ前記回転レバー４５のうち前記双面歯付ロッド１８から離れている一端には前記棒状ボタン１６とスライドできるように連結される溝４６が前後に貫通するように設置される。
【００１７】
前記休止装置は前記固定板２２の中に上下に貫通するように設置されるネジ山付軸２４を含み、前記ネジ山付軸２４の下端が前記噛合チャンバ２６の中に挿入され、且つ前記ネジ山付軸２４の下端には前記下シャフト連結プレート３５と当接し連結できる上シャフト連結プレート２５が固定的に連結され、前記ネジ山付軸２４には前記固定板２２の上側に位置する昇降フレーム２０が螺合連結され、前記昇降フレーム２０の下端面と前記固定板２２の上端面との間には圧縮バネ２１が連結され、前記昇降フレーム２０の上端にはピストン５６が回転出来るように固定的に連結され、前記固定板２２の上端端面には前記昇降フレーム２０とスライドできるように連結されるガイドレバー４８が固定的に連結され、前記作動チャンバ１１の前後側内壁の間には前記ピストン５６の上端に位置するガス封入管６０が固定的に連結され、前記ガス封入管６０の中には下方に開口したガス道５９が設けられ、その中に、前記ピストン５６が前記ガス道５９の内壁とスライドできるように連結され、前記ガス道５９の中には前記ガス封入管６０の外部まで伸びることができるゴムエアバッグ５７が設置され、前記ガス道５９の中には前記ゴムエアバッグ５７の上側に位置し、且つ左右に相通するガス封入棒５８が設けられ、前記遊星枠４０の頂端内壁の中には液圧機械３９が植設され、前記液圧機械３９の上端末端には前記ネジ山付軸２４と回転できるように連結できる液圧プッシュロッド４１が回転できるように連結され、前記液圧機械３９が前記液圧プッシュロッド４１により前記ネジ山付軸２４を押し動かして上下に移動させることができる。
【００１８】
有益的には、前記読取り装置は、外方に開口し、且つ前記回転盤６８の中に設置される凹み溝６９を含み、前記凹み溝６９の中には遠心プッシュブロック７０がスライドできるように連結され、前記遠心プッシュブロック７０のうち円心に近い端と前記凹み溝６９との間には引張バネ６７が連結され、前記直角テーブル７１には左右に伸びている復帰レバー６４がスライドできるように連結され、前記復帰レバー６４の右端末端には前記遠心プッシュブロック７０と当接し連結される当接ブロック６６が設けられ、前記当接ブロック６６と前記遠心プッシュブロック７０との間には復帰バネ６５が連結され、前記復帰レバー６４の左端にはスピーカ箱５５が固定的に連結され、前記スピーカ箱５５の上端端面にはスピーカ６２が固定的に連結され、
前記フィードバック起動部品は前記スピーカ箱５５の中に設置されるネガティブフィードバックチャンバ５３を含み、前記ネガティブフィードバックチャンバ５３の底端内壁には上下に伸びている従動プッシュレバー５０がスライドできるように連結され、前記従動プッシュレバー５０の下端が前記スピーカ箱５５の下側端面の外部まで伸び出され、且つ前記従動プッシュレバー５０の下端には磁気ヘッド４９が固定的に連結され、前記従動プッシュレバー５０の上端末端には従動プッシュブロック５２が設けられ、前記従動プッシュブロック５２の下端と前記ネガティブフィードバックチャンバ５３の底端内壁との間には還元バネ５１が圧着連結され、前記直角テーブル７１の鉛直端の左端端面には前記ネガティブフィードバックチャンバ５３の中に挿入される主動プッシュレバー６３が固定的に連結され、前記主動プッシュレバー６３の左端末端には前記従動プッシュブロック５２と当接し連結される主動プッシュブロック５４が設けられる。
【００１９】
本発明の音声制御の音楽プレーヤーは初期状態である時、前記サブサポート板４７が前記メインサポート板１２と同じ水平面に位置しておらず、且つ前記メインサポート板１２の水平面以下に位置しており、前記上シャフト連結プレート２５と前記下シャフト連結プレート３５とが当接し連結されてないので、休止装置が起動しなく、前記回転盤６８が旋転していないので、遠心力を引き出して前記遠心プッシュブロック７０を前記凹み溝６９の中に位置させることにならなく、装置内におけるすべてのバネにも弾性変形がなく、前記モータ２８がオフ状態にあり、各部品が非作動状態にある。
【００２０】
本発明の音声制御の音楽プレーヤーが作動している時、レコード盤を前記メインサポート板１２に置き、レコード盤の重力により前記双面歯付レバー１８がずり下がり、前記双面歯付レバー１８が前記切換歯車４４と噛み合って連結されることにより対称中心端へ旋転し、前記切換歯車４４が前記伝動軸１５により前記回転レバー４５を回転させ、これにより前記溝４６が前記棒状ボタン１６を回して上へ移動させ、前記棒状ボタン１６が前記サブスライドレバー１７により前記サブサポート板４７をレコード盤と当接させてサポートするのに補助し、音声制御によって前記モータ２８を起動させ、これにより前記出力軸２９により前記出力プーリ３０と前記太陽歯車２７と前記下シャフト連結プレート３５とを回転させ、前記太陽歯車２７によって噛合連結を通じて前記遊星歯車３７を回転させ、また前記遊星歯車３７により前記リングギヤ３６を駆動して旋転させ、前記遊星歯車３７が前記遊星軸３８を通じて前記環状軌道３４の中でスライドして前記遊星枠４０を安定に旋転させ、前記出力プーリ３０が前記プーリ３１により前記入力プーリ３２を駆動して旋転させ、前記入力プーリ３２が前記従動軸３３により高速に旋転して遠心力を通じて前記遠心プッシュブロック７０を遠心から離れるようにスライドさせ、前記当接ブロック６６との当接連結により前記復帰レバー６４を押し動かして左へスライドさせ、前記復帰レバー６４が前記スピーカ箱５５を駆動してスライドさせ、前記主動プッシュレバー６３の距離が変わらないため、前記主動プッシュブロック５４を前記スピーカ箱５５に対して右へ移動させ、前記主動プッシュブロック５４と前記従動プッシュブロック５２との当接連結により前記従動プッシュレバー５０を下へ移動させて前記磁気ヘッドとレコード盤とを当接させ、前記スピーカ６２により音声を流し、休止又は終えるという言語命令を受けた後に、前記液圧機械３９が起動して前記液圧プッシュレバー４１により前記ネジ山付軸２４を下へ移動させ、これにより前記上シャフト連結プレート２５が前記下シャフト連結プレート３５と当接連結されて回転し、前記ネジ山付軸２４と前記昇降フレーム２０との螺合連結を通じて前記昇降フレーム２０を上へ移動させ、同時に前記昇降フレーム２０の旋転上昇により前記圧縮バネ２１が位置エネルギーを蓄積し、前記昇降フレーム２０が前記ピストン５６により前記ゴムエアバッグ５７を押し、これにより前記ガス封入棒５８とレコード盤とを接触させて徐々に加速させ、同時に前記モータ２８をオフし、また旋転を停止し、前記圧縮バネ２１の弾性が還元することにより前記昇降フレーム２０が初期場所に移動し、同時に、前記スライドモータ９２の回転により前記従動軸３３を駆動して左右に移動させることができ、その上で更に前記直角テーブル７１を駆動して左右に移動させ、その上で更に前記磁気ヘッド４９を駆動して左右に移動させ、ディスクの回転と協力し、前記磁気ヘッド４９がディスク内の音楽情報を読み取ることができる。
【００２１】
本発明の音声制御の音楽プレーヤーは作動を終えた後に、前記モータ２８が停止し、これにより装置内の動力入力が消え、この時、バネの弾性が還元することにより各部品が初期状態に戻る。
【００２２】
上記の方式を通じて、本分野の当業者は本発明の範囲内に作動パターンにより様々な変化を行える。